(57)【特許請求の範囲】
【請求項１】
発光部および受光部を備えた第１のセンサー部と、
発光部および受光部を備え、前記第１のセンサー部に対向して配置された第２のセンサー部と、
前記第１のセンサー部の前記発光部の前に配置され、第１の旋回方向の円偏光を選択的に透過する第１の円偏光フィルタと、
前記第２のセンサー部の前記発光部の前に配置され、前記第１の旋回方向と逆の旋回方向の円偏光を選択的に透過する第２の円偏光フィルタと、
対向して配置された前記第１のセンサー部と前記第２のセンサー部との間に、コレステリック液晶層を備えた識別媒体が配置された状態において、前記第１のセンサー部の前記受光部の出力と前記第２のセンサー部の前記受光部の出力とに基づき前記識別媒体の真贋の判定を行う判定部と
を備えることを特徴とする識別装置。
【請求項２】
前記コレステリック液晶層は、選択反射する波長の異なる複数のコレステリック液晶層を積層した構造を有することを特徴とする請求項１に記載の識別装置。
【請求項３】
前記第１のセンサー部の前記発光部と前記第２のセンサー部の前記発光部とが異なる複数の発光源を備えていることを特徴とする請求項２に記載の識別装置。
【請求項４】
前記第１のセンサー部の前記発光部による第１の発光を行った後に前記第２のセンサー部の前記発光部による第２の発光を行う制御を行う制御部を備え、
前記判定部は、
前記第１の発光における前記第１のセンサー部の前記受光部の出力と前記第２のセンサー部の前記受光部の出力との差を第１の判定要素とし、
前記第２の発光における前記第１のセンサー部の前記受光部の出力と前記第２のセンサー部の前記受光部の出力との差を第２の判定要素とし、
前記第１の判定要素と前記第２の判定要素とに基づく判定を行うことを特徴とする請求項１〜３のいずれか一項に記載の識別装置。
【請求項５】
前記第１のセンサー部の前記発光部と前記第２のセンサー部の前記発光部とが対向し、前記第１のセンサー部の前記受光部と前記第２のセンサー部の前記受光部とが対向していることを特徴とする請求項１〜４のいずれか一項に記載の識別装置。
【請求項６】
コレステリック液晶層の一方の面から第１の円偏光を照射し、その反射光とその透過光を検出する第１のステップと、
コレステリック液晶層の他方の面から前記第１の円偏光と逆の旋回方向の第２の円偏光を照射し、その反射光とその透過光を検出する第２のステップと、
前記第１のステップで検出した前記反射光および前記透過光の差と前記第２のステップで検出した前記反射光および前記透過光の差に基づき、前記コレステリック液晶層の真贋の判定を行う第３のステップと
を備えることを特徴とする識別方法。
【請求項７】
コレステリック液晶層の一方の面から第１の円偏光を照射し、その反射光とその透過光を検出する第１の手段と、
コレステリック液晶層の他方の面から前記第１の円偏光と逆の旋回方向の第２の円偏光を照射し、その反射光とその透過光を検出する第２の手段と、
前記第１の手段が検出した前記反射光および前記透過光の差と前記第２の手段が検出した前記反射光および前記透過光の差に基づき、前記コレステリック液晶層の真贋の判定を行う第３の手段と
を備えることを特徴とする識別装置。
【発明の詳細な説明】
【技術分野】
【０００１】
本発明は、真贋判定の識別の精度が高い識別装置および識別方法に関する。
【背景技術】
【０００２】
コレステリック液晶にランダム光を照射し、反射した円偏光を、バンドパスフィルタを介して１／４波長板で直線偏光に変換し、この直線偏光をビームスプリッタで分割し、各方向の偏光板によって右もしくは左円偏光を検出する技術が知られている（例えば、特許文献１参照）。
【先行技術文献】
【特許文献】
【０００３】
【特許文献１】特許第３２４４２７８号公報
【発明の概要】
【発明が解決しようとする課題】
【０００４】
上述した技術では、右および左円偏光を各々検出するために、反射光を分割するビームスプリッタを用いなければならない。そのため、部品点数が多くなり、装置が複雑化する問題がある。このような背景において、本発明は、簡素な構成で高い識別が行える技術を提供することを目的とする。
【課題を解決するための手段】
【０００５】
請求項１に記載の発明は、発光部および受光部を備えた第１のセンサー部と、発光部および受光部を備え、前記第１のセンサー部に対向して配置された第２のセンサー部と、前記第１のセンサー部の前記発光部の前に配置され、第１の旋回方向の円偏光を選択的に透過する第１の円偏光フィルタと、前記第２のセンサー部の前記発光部の前に配置され、前記第１の旋回方向と逆の旋回方向の円偏光を選択的に透過する第２の円偏光フィルタと、対向して配置された前記第１のセンサー部と前記第２のセンサー部との間に、コレステリック液晶層を備えた識別媒体が配置された状態において、前記第１のセンサー部の前記受光部の出力と前記第２のセンサー部の前記受光部の出力とに基づき前記識別媒体の真贋の判定を行う判定部とを備えることを特徴とする識別装置。
【０００６】
請求項１に記載の発明によれば、コレステリック液晶層の表裏から逆旋回方向の円偏光を入射させた場合に得られる光学特性を利用することで、第１のセンサー部側の受光部からの出力と第２のセンサー部側の受光部からの主力の差が大きくなる。このため、簡単な構成で高精度の自動識別が可能となる。
【０００７】
請求項２に記載の発明は、請求項１に記載の発明において、前記コレステリック液晶層は、選択反射する波長の異なる複数のコレステリック液晶層を積層した構造を有することを特徴とする。請求項２に記載の発明によれば、識別媒体から選択反射される反射光の光量が増大するので、高いＳ／Ｎ比が得られ、偽物の検出精度を高くできる。
【０００８】
請求項３に記載の発明は、請求項２に記載の発明において、前記第１のセンサー部の前記発光部と前記第２のセンサー部の前記発光部とが異なる複数の発光源を備えていることを特徴とする。請求項３に記載の発明によれば、複数の波長を用いて判定が行われるので、偽物の検出精度を高くできる。
【０００９】
請求項４に記載の発明は、請求項１〜３のいずれか一項に記載の発明において、前記第１のセンサー部の前記発光部による第１の発光を行った後に前記第２のセンサー部の前記発光部による第２の発光を行う制御を行う制御部を備え、前記判定部は、前記第１の発光における前記第１のセンサー部の前記受光部の出力と前記第２のセンサー部の前記受光部の出力との差を第１の判定要素とし、前記第２の発光における前記第１のセンサー部の前記受光部の出力と前記第２のセンサー部の前記受光部の出力との差を第２の判定要素とし、前記第１の判定要素と前記第２の判定要素とに基づく判定を行うことを特徴とする。
【００１０】
請求項４に記載の発明によれば、識別媒体の一方の面からの光照射による反射光および透過光の差に関する情報と、識別媒体の他方の面からの光照射による反射光および透過光の差に関する情報とを統合したもので真贋判定が行われるので、偽物の検出精度を高くできる。
【００１１】
請求項５に記載の発明は、請求項１〜４のいずれか一項に記載の発明において、前記第１のセンサー部の前記発光部と前記第２のセンサー部の前記発光部とが対向し、前記第１のセンサー部の前記受光部と前記第２のセンサー部の前記受光部とが対向していることを特徴とする。請求項５に記載の発明によれば、識別媒体の特定の部分における反射と透過の状態が判定の結果に強く反映させる。このため、偽物の検出精度を高くできる。
【００１２】
請求項６に記載の発明は、コレステリック液晶層の一方の面から第１の円偏光を照射し、その反射光とその透過光を検出する第１のステップと、コレステリック液晶層の他方の面から前記第１の円偏光と逆の旋回方向の第２の円偏光を照射し、その反射光とその透過光を検出する第２のステップと、前記第１のステップで検出した前記反射光および前記透過光の差と前記第２のステップで検出した前記反射光および前記透過光の差に基づき、前記コレステリック液晶層の真贋の判定を行う第３のステップとを備えることを特徴とする識別方法である。
【００１３】
請求項７に記載の発明は、コレステリック液晶層の一方の面から第１の円偏光を照射し、その反射光とその透過光を検出する第１の手段と、コレステリック液晶層の他方の面から前記第１の円偏光と逆の旋回方向の第２の円偏光を照射し、その反射光とその透過光を検出する第２の手段と、前記第１の手段が検出した前記反射光および前記透過光の差と前記第２の手段が検出した前記反射光および前記透過光の差に基づき、前記コレステリック液晶層の真贋の判定を行う第３の手段とを備えることを特徴とする識別装置である。
【発明の効果】
【００１４】
本発明によれば、本発明は、簡素な構成で高い識別が行える技術を提供される。
【図面の簡単な説明】
【００１５】
【図１】フォトインタラプターの一例を示す概念図（Ａ）とフォトインタラプターを用いた判定装置の一例を示す概念図（Ｂ）である。
【図２】識別媒体の概念図である。
【図３】識別媒体の概念図である。
【図４】識別媒体の外観を示す概念図である。
【図５】識別を行う状態を示す概念図である。
【図６】受光部の出力レベルを示すグラフである。
【図７】識別を行う状態を示す概念図である。
【図８】フォトインタラプターを用いた判定装置の一例を示す概念図である。
【図９】フォトインタラプターを用いた判定装置の一例を示す概念図である。
【図１０】受光部の出力レベルを示すグラフである。
【図１１】フォトインタラプターを用いた判定装置の一例を示す概念図である。
【図１２】受光部の出力レベルを示すグラフである。
【発明を実施するための形態】
【００１６】
１．第１の実施形態
（構成）
図１（Ａ）には、市販されている反射型のフォトインタラプター（フォトリフレクタ）１００が示されている。フォトインタラプター１００は、本発明におけるセンサー部の一例として用いることができる。フォトインタラプター１００は、発光ダイオード等で構成される可視光を発光する発光部１０１とフォトトラジスタやフォトダイオード等の光電変換素子で構成される受光部１０２を備えている。フォトインタラプター１００は、発光部１０１からの光を対象物１１０に照射し、その反射光を受光部１０２で検出する。
【００１７】
図１（Ｂ）には、実施形態の識別装置２００が示されている。識別システム２００は、同じ構造のフォトインタラプター２１０と２２０を対向して配置した構造を有している。フォトインタラプター２１０は、図１（Ａ）に示すフォトインタラプター１００と同じものである。フォトインタラプター２１０は、発光部２１１と受光部２１２を備え、フォトインタラプター２２０は、発光部２２１と受光部２２２を備えている。フォトインタラプター２１０と２２０は、互いの発光部と受光部が対向する状態で、且つ、両者の間に隙間を有した状態で配置されている。すなわち、発光部２１１と発光部２２１が対向し、受光部２１２と受光部２２２とが対向する位置関係とされている。
【００１８】
フォトインタラプター２１０の発光部２１１の前には、左円偏光を選択的に透過する左円偏光フィルタ２１３が配置され、フォトインタラプター２２０の発光部２２１の前には、右円偏光を選択的に透過する右円偏光フィルタ２２３が配置されている。識別を行う動作時には、フォトインタラプター２１０と２２０の間（左円偏光フィルタ２１３と右円偏光フィルタ２２３の間）に識別媒体３００が配置される。図１（Ｂ）には、この識別を行う動作時の状態が示されている。
【００１９】
受光部２１２からの出力と受光部２２２からの出力は、判定部２３０に入力される。判定部２３０は、マイコンとしての機能を有し、ＣＰＵ、メモリ、Ａ／Ｄコンバータ、その他各種のインターフェース機能を有している。判定部２３０は、受光部２１２からの出力と受光部２２２からの出力とを比較し、その差に基づき識別媒体の真贋を判定する。また、制御部２３１は、発光部２１１，２２１の発光タイミングの制御を行う。
【００２０】
図２に示す識別媒体３００は、コレステリック液晶層３０１を備えている。コレステリック液晶層３０１は、例えば赤の右円偏光を選択的に反射する特性に設定されている。なお、選択反射する円偏光の旋回方向は左円偏光であってもよい。また、選択反射する波長は、発光部２１１，２２１が発光する光の波長に対応したものであれば、他のものを選択することもできる。
【００２１】
コレステリック液晶層３０１には、ホログラム型を型押しすることで形成されたホログラム３０２が設けられている。また、コレステリック液晶層３０１には、印刷されたインクによって構成される印刷図柄（文字や図形等）３０３が設けられている。印刷図柄３０３は、インクが乗っていない透明部分を有している。印刷図柄３０３を覆って発光部２１１，２２１からの光を透過する性質の粘着材料により構成された粘着層３０４が設けられている。粘着層３０４の露出面には、離型紙であるセパレータ３０５が貼り付けられている。使用時において、セパレータ３０５は剥がされ、露出した粘着面を対象物に押し付けることで、識別媒体３００が対象物に固定される。
【００２２】
図３には、もう一つの識別媒体の例である識別媒体３００’が示されている。識別媒体３００’は、図２の識別媒体３００において、コレステリック液晶層３０１の背後に全波長反射コレステリック液晶層３０６を追加した構造を有している。全反射コレステリック液晶層３０６は、特願２０１１−６１１８４に記載されている構造を有し、選択反射される光が特定の波長ではなく、可視光全体の右円偏光または左円偏光を選択反射する特性を有している。例えば、３原色の右円偏光を選択反射する３種類のコレステリック液晶層を積層することで、全波長反射コレステリック液晶層３０６が構成される。
【００２３】
図３に示す識別媒体３００’では、コレステリック液晶層３０１、全波長反射コレステリック液晶層３０６、印刷図側３０３の順で積層された構造を有している。識別媒体３００’において、コレステリック液晶層３０１を有さない構造も可能である。この場合、全反射コレステリック液晶層３０６にホログラム加工が施される。
【００２４】
識別媒体３００および３００’では、表裏の両方から識別が行われる。このため、印刷図柄３０３は、インクが存在していない透過部分が必要であり、粘着層３０４は、発光部２１１，２２１が発光する光を透過するものである必要がある。
【００２５】
図４には、識別媒体３００および３００’におけるホログラム３０２と印刷図柄３０３の一例が示されている。この例では、ホログラム３００が星型のホログラム図柄であり、印刷図柄３０３が「ＳＥＣＵＲＩＴＹ」と印刷された表示である場合が示されている。なお、この例において、ホログラム３０２と印刷図柄３０３以外の部分は、可視光に対して透明とされている。
【００２６】
このホログラム３０２と印刷図柄３０３を直接見ての観察、左右の円偏光フィルタ越しでの観察によっても識別媒体３００（または３００’）の真贋判定を行うこともできる。
【００２７】
（識別動作）
図５には、識別を行う状態の一例が示されている。図５において、識別の対象となる対象物４００に透明な板状の部材４０１が固定され、そこに識別媒体３００（または３００’）が貼り付けられて固定されている。なお、符号４０１の板状の部材に開口部を設け、この開口部の部分に識別媒体３００（または３００’）を固定する構造であってもよい。また、透明な板状の部材４０１は、円偏光特性に影響を与えない材質が望ましい。
【００２８】
識別媒体３００の部分を図１（Ｂ）に示すように、フォトインタラプター２１０と２２０との間に位置させた状態において識別が行われる。この際、図１（Ｂ）に示すように、フォトインタラプター２１０の発光部２１１の前には、左円偏光フィルタが配置され、フォトインタラプター２２０の発光部２２１の前には、右円偏光フィルタが配置されている。なお、識別媒体３００（３００’）の表裏の向きは、必ずしも限定されないが、予め決めておいた方が好ましい。
【００２９】
識別は、フォトインタラプター２１０と２２０を交互に発光させることで行う。この制御は、制御部２３１によって行われる。例えば、まず発光部２１１を発光させる。この際、発光部２１１から出た可視光は、左円偏光フィルタ２１３で左円偏光とされ、それが識別媒体３００に入射する。識別媒体３００のコレステリック液晶層３０１は、右円偏光を選択反射する設定であるから、発光部２１１からの左円偏光の光は、識別媒体３００をほとんど透過し、そこでの反射光は少ない。よって、受光部２１２での検出光量は相対的に小さく、受光部２２２での検出光量は相対的に大きい。この違いは、受光部２１２の出力と受光部２２２の出力の差として検出される。判定部２３０は、この差を第１の判定要素として記憶する。
【００３０】
次に、発光部２２１を発光させる。この際、発光部２２１から出た可視光は、右円偏光フィルタ２２３で右円偏光とされ、それが識別媒体３００に入射する。識別媒体３００のコレステリック液晶層３０１は、右円偏光を選択反射する設定であるから、発光部２２１からの右円偏光の光は、識別媒体３００で反射され、そこでの透過光は少ない。よって、受光部２１２での検出光量は相対的に小さく、受光部２２２での検出光量は相対的に大きい。この違いは、受光部２１２の出力と受光部２２２の出力の差として検出される。判定部２３０は、この差を第２の判定要素として記憶する。
【００３１】
判定部２３０には、予め上記の出力の差がどの程度であるかについての情報が記憶されている。判定部２３０は、上記第１の判定要素および第２の判定要素を予め記憶している情報と照合する。具体的には、判定部２３０は、検出された受光部２１２と２２２の出力の差が、それぞれの発光タイミングにおいて、予め記憶されている値と符号するか、を判定する。また、判定部２３０は、１回目の発光タイミングにおける受光部２１２と２２２の出力の差と、２回目の発光タイミングにおける受光部２１２と２２２の出力の差との合計が、予め記憶されている値と符号するか、を判定する。判定部２３０は、この２つの判定の結果が真であれば、識別媒体３００（または３００’）が真性である旨の判定を行い、符号しなければ、識別媒体３００（または３００’）が真性でない旨の判定を行う。
【００３２】
つまり、発光部２１１と２２１とを交互に発光させた場合に、いずれの場合であっても（受光部２１２の検出光量≪受光部２２２の検出光量）となる。この検出光量の大小関係は、受光部２１２からの出力と受光部２２２からの出力の差（例えば、出力電圧の差）として現れる。この差が予め用意しておいた値あるいはその誤差範囲であれば、識別媒体３００（または３００’）は真性であると判定され、そうでなければ偽物と判定される。この判定は、２つの受光部の出力電圧の絶対値の差、比、差分等を測ることで行われる。一般に外乱光等の影響を考えると、差分で判定する方法が高い精度が得られる。
【００３３】
例えば、見た目を図４に示す外観に似せて作成した偽物の識別媒体があるとする。この偽物の識別媒体は、上述した円偏光特性による反射特性および透過特性の顕著な違いが現れないので、上述したような（受光部２１２の検出光量≪受光部２２２の検出光量）の関係が得られず、偽物であることが電子的に判定可能となる。
【００３４】
なお、識別媒体３００’を用いた場合、反射光量が増えるので、受光部２１２，２２２における検出光のＳ／Ｎがより高くなる。また、発光部２１１，２２１の発光波長のスペクトルに偏りがあっても、検出精度の低下が生じがたい優位性が得られる。
【００３５】
（優位性）
上記の例示においては、フォトインタラプター２１０と２２０を対向させ、その間に右円偏光を選択反射する設定のコレステリック液晶層を有した識別媒体３００を配置した状態で識別を行う。この際、発光部２１１の前に左円光フィルタ２１３を配置し、発光部２２１の前に右円偏光フィルタ２２３を配置した状態で、発光部２１１と２２１から交互に発光を行う。識別媒体３００のコレステリック液晶層は右円偏光を反射し、左円偏光を透過するので、それぞれの発光時において、受光部２１２の検出光量は少なく、受光部２２２の検出光量は大きくなる。この検出光量の差を利用して識別媒体３００の真贋判定が行われる。
【００３６】
この方法によれば、汎用の光学センサーであるフォトインラプターを用いることで簡素な構成の識別装置が提供される。また、市販のフォトインタラプターを用いない場合であっても、発光部と受光部とを備えた簡単な構造の光学センサーを組で用意すればよいので、構成の簡素化が図れる。また、コレステリック液晶層の選択反射特性を利用しているので、見た目を似せた偽造品との差を高い精度で検出できる。
【００３７】
また、対向させたセンサーにて識別媒体の同一箇所を表裏から識別する構成であるため、識別媒体の偽造が極めて難しくなる。すなわち、上記の方式の場合、ある限定された部分での反射と透過の状態が判定結果に大きな影響を与える。このため、偽造品は、この限定された部分の光学特性を正確に再現する必要があり、偽造のハードルを高くでき、結果として高い偽造防止効果を得ることができる。
【００３８】
つまり、発光部２１１の発光と発光部２２１の発光を識別媒体表裏の２回に分けて行うことで、それぞれの発光時に（受光部２１２の検出光量≪受光部２２２の検出光量）の関係が得られ、この２つの検出結果に基づき、真贋の判定が行われる。この方法によれば、偽造品は、２回行われる検出結果を再現しなければならないので、偽造の困難性が高くなる。たとえば、識別媒体３００と全く同じものを再現できず、光学特性を似せた偽造品では、発光部２１１を発光させた場合における受光部２１２の検出光量と受光部２２２の検出光量との関係、および発光部２２１を発光させた場合における受光部２１２の検出光量と受光部２２２の検出光量との関係を再現する必要があるが、それは困難である。
【００３９】
（比較試験）
図１（Ｂ）に示す識別装置２００において、識別媒体３００のコレステリック液晶層３０１をハーフミラーに変更したサンプルを比較例として用意した。図６（Ａ）に図１（Ｂ）の識別媒体３００を用いた場合における受光部２１２，２２２の出力レベルのデータが示され、図６（Ｂ）に比較例の場合のデータが示されている。図６から明らかなように、本実施形態では、検出光の光量の違いによる識別機能が得られるが、比較例では、２つの受光部２１２，２２２の検出レベルに違いが見られず、識別機能が得られない。
【００４０】
このような違いが現れる理由について説明する。まず、識別媒体３００にコレステリック液晶層３０１を利用した場合、上述した理由により、発光部２１１と２２１とを交互に点灯した際に、図６（Ａ）に示すように、受光部２１２と２２２の出力の組み合わせに顕著な違いが生じる。
【００４１】
次に、識別媒体３００において、コレステリック液晶層３０１をハーフミラーに変更した場合を説明する。まず、発光部２１１のみを点灯した場合、発光部２１１からの光のうち左円偏光のみが左円偏光フィルタ２１３を透過し、識別媒体３００に入射する。この左円偏光の入射光は、半分が反射し、半分が透過する。この際の反射光は、旋回方向が反転し、右円偏光となり、受光部２１２に入射する。
【００４２】
他方において、識別媒体３００を図の右方向に透過した残りの半分の左円偏光は、そのままに受光部２２２に入射する。この入射光は、ハーフミラーでの反射光と同じレベルであるので、図６（Ｂ）の左側に示すように、図１における受光部２１２と２２２への入射光量は同じとなり、その出力レベルも同じとなる。
【００４３】
次に、識別媒体３００において、コレステリック液晶層３０１をハーフミラーに変更した場合に、発光部２２１のみを点灯した場合を説明する。この場合、発光部２２１からの光のうち右円偏光のみが右円偏光フィルタ２２３を透過し、識別媒体３００に入射する。この右円偏光の入射光は、半分が反射し、半分が透過する。この際の反射光は、旋回方向が反転し、左円偏光となり、受光部２２２に入射する。
【００４４】
他方において、識別媒体３００を図の左方向に透過した残りの半分の右円偏光は、そのままに受光部２１２に入射する。この場合も図６（Ｂ）の右側に示すように、受光部２１２と２２２への入射光量は同じとなるので、その出力レベルも同じとなる。
【００４５】
ハーフミラーを用いた場合、発光部２１１と２２１を交互に点灯しても、共に同様な入射光が受光部２１２と２２２で得られるので、図６（Ｂ）に示すように、図６（Ａ）の場合のような検出レベルの差は生じない。
【００４６】
２．第２実施の形態
識別媒体３００’を用い、図２の発光部２１１と２２１をＲＧＢ３色の発光ダイオードで構成する。この場合、ＲＧＢの各波長のそれぞれにおいて個別に発光を行い、その都度判定を行う。この形態では、ＲＧＢの３波長について、上述した（受光部２１２の検出光量≪受光部２２２の検出光量）の関係を判定することになるので、判定の精度（言い換えると、偽物の検出精度）が向上する。
【００４７】
この構成において、ＲＧＢの反射レベルに予め意図的に差を付けることも可能である。この場合、ＲＧＢを交互に発光させて、各色における検出光量の差を判定し、更にその結果から総合判定を行う。ここで、ＲＧＢの反射レベルに予め意図的に差が付けてあるので、このレベル差も判定基準となり、偽造品の検出精度がより高くなる。言い換えると、偽造品は、このＲＧＢの反射レベルの違いも再現しなくてはならないので、偽造がより困難になる。
【００４８】
３．第３の実施形態
以下、本発明を電子機器における交換可能な消耗部品（例えば、電池等）に適用した場合の例を説明する。図７には、電子機器に５個の消耗品６０１〜６０５を装着した状態が概念的に示されている。消耗品６０１〜６０５は、図５に示す構成を有し、それぞれが図２に示す識別３００（または３００’）を備えている。例えば、消耗品６０５は、透明な板状の部材６０６を備え、そこに識別媒体３００が貼り付けられることで固定されている。
【００４９】
そして、各消耗品を電子機器に装着した状態において、図７に示すように、各消耗品の識別媒体のそれぞれが、センサー部７０１〜７０５によって識別可能な状態となる。センサー部７０１〜７０５のそれぞれは、図１（Ｂ）に示す構成を有し、図１（Ｂ）に関連して説明した原理による識別を行う。図７に示す構成によれば、電子機器に装着された消耗品の真贋の判定が電子機器側で行われる。例えば、偽物の消耗品が装着されると、真贋の判定処理が行われる。ここで偽物と判定された場合、当該電子機器の表示部にその旨の警告が表示される、あるいは当該消耗品を使用しての動作ができない状態とされる。消耗品６０１〜６０６の真贋を判定するだけではなく、消耗品６０１〜６０６に係る他の情報をセンサー部７０１〜７０５で検出する構成も可能である。
【００５０】
４．第４の実施形態
２つのフォトインタラプターを対向配置するバリエーションとして、図８に示すように、発光部２１１と受光部２２２を対向させ、受光部２１２を発光部２２１に対向させる配置も可能である。なお、その他の部分は、図１と同じである。この場合、発光部２１１から発光された光は、左円偏光フィルタ２１３で左円偏光となり、その大部分は識別媒体３００（または３００’）を透過し、受光部２２２で検出される。他方で、受光部２１２に到達する発光部２１１からの光は弱い。
【００５１】
また、発光部２２１から発光された光は、右円偏光フィルタ２２３で右円偏光となり、その大部分は識別媒体３００（または３００’）で反射し、受光部２２２で検出される。他方で、受光部２１２に到達する発光部２２１からの光は弱い。この場合も受光部２１２と２２２の出力の差に基づく識別媒体３００（または３００’）の真贋の判定が行われる。
【００５２】
（その他）
全反射コレステリック液晶層３０６の代わりとして、異なる波長の右円偏光または左円偏光を選択反射する２つのコレステリック液晶層を積層した構造も可能である。この場合、可視光全域の帯域の光を反射する特性とはならいが、単一の波長を選択反射する場合よりも選択反射する光の波長帯域が広くなるので、受光部２１２、２２２の出力レベルを大きくでき、Ｓ／Ｎ比を高くできる。
【００５３】
また、ホログラム３０２および印刷図柄３０３の一方または両方が無い構造も可能である。符号２１３の円偏光フィルタを右円偏光フィルタとし、符号２２３の円偏光フィルタを左円偏光フィルタとする配置も可能である。
【００５４】
発光部２１１と２２１の光量および発光スペクトルの一方または両方に違いを設け、発光部２１１の発光時における２つの受光部の出力の差の値と、発光部２２１の発光時における２つの受光部の出力の差の値とに意図的に違いを生じさせる構成も可能である。このようにすると、偽造品において同じ判定条件を得ることがより難しくなるので、偽造品の検出精度を更に高めることができる。
【００５５】
（その他の例１）
図９に示す構成では、受光部２１２の前に左円偏光フィルタを配置し、受光部２２２の前に右円偏光フィルタを配置している。ここで、図１０（Ａ）の左側には、発光部２１１を発生させ、発光部２２１を発光させなかった場合における受光部２１２と受光部２２２の出力のレベルが示されている。図１０（Ａ）の右側には、発光部２２１を発生させ、発光部２１１を発光させなかった場合における受光部２１２と受光部２２２の出力のレベルが示されている。
【００５６】
まず、発光部２２１を発光させず、発光部２１１を発光されると、識別媒体３００での左円偏光の反射は極めて弱く、また識別媒体３００で反射される右円偏光は、左円偏光フィルタ２１３で遮断される。このため、受光部２１２の出力は小さい。識別媒体３００を透過した左円偏光は、右円偏光フィルタ２２３で遮断されるので、受光部２２２の出力も小さい。したがって、図１０（Ａ）の左側に示す出力が受光部２１２と２２２において得られる。
【００５７】
他方において、発光部２１１を発光させず、発光部２２１を発光されると、識別媒体３００は左円偏光を透過するので、左円偏光フィルタ２１３を透過し、受光部２１２に入射する光の光量は大きく、受光部２１２の出力は大きくなる。また、識別媒体３００は右円偏光を反射するので、この右円偏光の反射光は、右円偏光フィルタ２２３を透過して受光部２１２に入射する。この受光部２１２への入射光の光量は、上記の受光部２１２への入射の光量とほぼ同じとなる。したがって、図１０（Ａ）の右側に示す出力が受光部２１２と２２２において得られる。そして、図１０（Ａ）の右側の出力のレベルと左側の出力のレベルを比較することで、識別媒体３００の真贋の判定が行われる。
【００５８】
ここで、図１に示す場合において、識別媒体３００のコレステリック液晶層３０１をハーフミラーとした場合、発光部２１１のみを点灯した場合と発光部２２２のみを点灯させた場合のそれぞれにおいて、受光部２１１，２２１の出力に違いが現れない（図１０（Ｂ）参照）。これは、以下の理由による。
【００５９】
まず、発光部２１１のみを点灯した場合、発光部２１１からの光の半分が識別媒体３００で反射される。この際、偏光の選択性はなく、ランダム光が反射される。このランダム光のうちの左円偏光が左円偏光フィルタ２１３を受光部２１２の方向に向けて透過し、受光部２１２で受光される。
【００６０】
また、識別媒体３００を透過した残りの光のうちの右円偏光が右円偏光フィルタ２２３を受光部２２２に向けて透過し、受光部２２２で検出される。この受光部２２２に入射する右円偏光は、円偏光フィルタでの損失が上記の反射成分の場合と同じであるので、受光部２１２で検出される入射光の光量と同じとなる。こうして図１０（Ｂ）の左側の出力レベルが得られる。
【００６１】
発光部２２１のみを点灯した場合、発光部２２１からの光の半分が識別媒体３００で反射される。この際、偏光の選択性はなく、ランダム光が反射される。このランダム光のうちの右円偏光が右円偏光フィルタ２２３を受光部２２２の方向に向けて透過し、受光部２２２で受光される。
【００６２】
また、識別媒体３００を透過した残りの光のうちの左円偏光が左円偏光フィルタ２１３を受光部２１２に向けて透過し、受光部２１２で検出される。この受光部２１２に入射する左円偏光は、円偏光フィルタでの損失が上記の反射成分の場合と同じであるので、受光部２２２で検出される入射光の光量と同じとなる。こうして図１０（Ｂ）の右側の出力レベルが得られる。
【００６３】
このように、コレステリック液晶層を用い、発光部２１１と２２１とを交互に点灯した場合は、図１０（Ａ）に示すように、受光部２１２と２２２の出力の組み合わせに顕著な差が生じる。これに対して、コレステリック液晶層３０１の代わりにハーフミラーを用いた場合、図１０（Ｂ）に示すように、発光部２１１と２２１とを交互に点灯しても、受光部２１２と２２２の出力の組み合わせに差が生じない。
【００６４】
ここで例示したように、第１のフォトインタラプター（第１のセンサー部）の受光部の前に第１の旋回方向の円偏光フィルタを配置し、第２のフォトインタラプター（第２のセンサー部）の受光部の前に第１の旋回方向とは逆旋回方向の第２の旋回方向の円偏光フィルタを配置する構造も可能である。なお、図９に示す構成において、符号２１３の円偏光フィルタを右円偏光フィルとし、符号２２３の円偏光フィルタを左円偏光フィルタとしてもよい。
【００６５】
（その他の例２）
図１１には、発光部２１１および受光部２１２の前に左円偏光フィルタ２１３を配置し、発光部２２１および受光部２２２の前に右円偏光フィルタ２２３を配置した場合の例が示されている。ここで、図１０（Ａ）の左側には、発光部２１１を発生させ、発光部２２１を発光させなかった場合における受光部２１２と受光部２２２の出力のレベルが示されている。図１０（Ａ）の右側には、発光部２２１を発生させ、発光部２１１を発光させなかった場合における受光部２１２と受光部２２２の出力のレベルが示されている。
【００６６】
まず、発光部２２１を発光させず、発光部２１１を発光されると、識別媒体３００には、左円偏光フィルタ２１３を透過した左円偏光が入射する。ここで、識別媒体３００からの左円偏光の反射光は弱いので、受光部２１２の出力は小さい。また、識別媒体３００から受光部２２２に向かう光は、左円偏光が主であり、この光は右円偏光フィルタ２１３で遮断されるので、受光部２２２の出力も小さい。したがって、受光部２１２と２２２の出力は、図１２（Ａ）の左側に示すレベルとなる。
【００６７】
そして、発光部２１１を発光させず、発光部２２１を発光されると、識別媒体３００には、右円偏光フィルタ２２３を透過した右円偏光が入射する。この入射光は、識別媒体３００でほとんど反射されるので、受光部２１２に入射する光は弱く、受光部２１２の出力は小さい。また、識別媒体３００から受光部２２２に向かう光は、右円偏光が主となるが、この光は右円偏光フィルタ２１３を透過するので、受光部２２２の出力は大きくなる。したがって、受光部２１２と２２２の出力は、図１２（Ａ）の右側に示すレベルとなる。そして、図１２（Ａ）の右側に示される受光部２１２および２２２の出力のレベルと、左側に示される受光部２１２および２２２の出力のレベルとを相互に比較することで、識別媒体３００の真贋の判定が行われる。
【００６８】
ここで、識別媒体３００のコレステリック液晶層３０１をハーフミラーとした場合、発光部２１１のみを点灯した場合と発光部２２２のみを点灯させた場合のそれぞれにおいて、受光部２１１，２２１の出力に違いが現れない（図１２（Ｂ）参照）。これは、以下の理由による。
【００６９】
まず、発光部２１１のみを点灯した場合、発光部２１１からの光は、左円偏光フィルタ２１３で左円偏光とされ、それが識別媒体３００に入射し、その半分が反射される。この際、円偏光の旋回方向が反転し、反射光は右円偏光となる。この識別媒体３００から図の左方向に反射される右円偏光は、左円偏光フィルタ２１３で遮断されるので、受光部２１２への入射光は弱く、受光部２１２の出力レベルは小さい。この状態が図１２（Ｂ）の左側に示されている。この場合、円偏光フィルタによる円偏光の旋回方向の選択性が機能するので、図１０（Ｂ）の場合よりも出力レベルは小さくなる。
【００７０】
また、発光部２１１からの左円偏光のうち識別媒体３００に入射した半分は、そのまま識別媒体３００を左円偏光として透過する。この左円偏光は、右円偏光フィルタ２２３で遮断され、受光部２２２への入射光は弱い。この状態が図１２（Ｂ）の左側に示されている。この場合、円偏光フィルタによる円偏光の旋回方向の選択性が機能するので、図１０（Ｂ）の場合よりも出力レベルは小さくなる。
【００７１】
次に、発光部２２１のみを点灯した場合、発光部２２１からの光は、右円偏光フィルタ２２３で右円偏光とされ、それが識別媒体３００に入射し、その半分が受光部２２２の方向に反射される。この際、円偏光の旋回方向が反転し、反射光は左円偏光となる。この識別媒体３００から図の右方向に反射される左円偏光は、右円偏光フィルタ２２３で遮断されるので、受光部２２２への入射光は弱く、受光部２２２の出力レベルは小さい。この状態が図１２（Ｂ）の右側に示されている。この場合、円偏光フィルタによる円偏光の旋回方向の選択性が機能するので、図１０（Ｂ）の場合よりも出力レベルは小さくなる。
【００７２】
また、発光部２２１からの右円偏光のうち識別媒体３００に入射した残りの半分は、そのまま識別媒体３００を右円偏光として透過する。この右円偏光は、左円偏光フィルタ２１３で遮断され、受光部２１２への入射光は弱い。この状態が図１２（Ｂ）の右側に示されている。この場合、円偏光フィルタによる円偏光の旋回方向の選択性が機能するので、図１０（Ｂ）の場合よりも出力レベルは小さくなる。
【００７３】
このように、コレステリック液晶層を用い、発光部２１１と２２１とを交互に点灯した場合は、図１２（Ａ）に示すように、受光部２１２と２２２の出力の組み合わせに顕著な差が生じる。これに対して、コレステリック液晶層３０１の代わりにハーフミラーを用いた場合、図１２（Ｂ）に示すように、発光部２１１と２２１とを交互に点灯しても、受光部２１２と２２２の出力の組み合わせに差が生じない。
【００７４】
このように、第１のフォトインタラプター（第１のセンサー部）の発光部および受光部の前に第１の旋回方向の円偏光フィルタを配置し、第２のフォトインタラプター（第２のセンサー部）の発光部および受光部の前に第１の旋回方向とは逆旋回方向の第２の旋回方向の円偏光フィルタを配置する構造も可能である。なお、図１１に示す構成において、符号２１３の円偏光フィルタを右円偏光フィルとし、符号２２３の円偏光フィルタを左円偏光フィルタとしてもよい。
【００７５】
本発明は、パスポート、書類、各種カード、パス、紙幣、金券、証券、証書、商品券、絵画、切符、公共競技投票券、音楽や映像が記録された記録媒体、コンピュータソフトウェアが記録された記録媒体、各種製品のパッケージ、電子部品、機械部品、電池、その他各種の消耗品や交換部品等の真正性（真贋性）を識別するための識別媒体に利用可能である。
【産業上の利用可能性】
【００７６】
本発明は、真贋の識別を行うための技術に利用することができる。
【符号の説明】
【００７７】
１００…フォトインタラプター、１０１…発光部、１０２…受光部、２００…識別装置、２１０…フォトインタラプター、２２０…フォトインタラプター、２１１…発光部、２１２…受光部、２１３…左円偏光フィルタ、２２１…発光部、２２２…受光部、２２３…右円偏光フィルタ、２３０…判定部、３００…識別媒体、３００’…識別媒体、３０１…コレステリック液晶層、３０２…ホログラム、３０３…印刷図柄、３０４…粘着層、３０５…セパレータ、３０６…全反射コレステリック液晶層、４００…対象物、４０１…透明な板状の部材、６０１〜６０５…消耗品、７０１〜７０５…センサー部、６０６…透明な板状の部材。
【図１】
0005710443.tif 000002
【図２】
0005710443.tif 000003
【図３】
0005710443.tif 000004
【図４】
0005710443.tif 000005
【図５】
0005710443.tif 000006
【図６】
0005710443.tif 000007
【図７】
0005710443.tif 000008
【図８】
0005710443.tif 000009
【図９】
0005710443.tif 000010
【図１０】
0005710443.tif 000011
【図１１】
0005710443.tif 000012
【図１２】
0005710443.tif 000013